(57)【要約】      （修正有）【課題】携帯電話の撮影機能を利用するときに片手での操作を可能とする。【解決手段】撮影補助装置は、把持するためのハンドル１０と、携帯電話を挟持するための挟持機構２０と、シャッター３１が設けられるワイヤレスコントローラ３０と、拡張機能ユニット４０と、を備える。挟持機構２０はハンドル１０に設けられ、ワイヤレスコントローラ３０及び拡張機能ユニット４０は、いずれも取外し可能にハンドル１０に取り付けられている。使用時、挟持機構２０で携帯電話を挟持して、ハンドル１０を把持しながらシャッター３１を押すことによって、片手での撮影が可能となる。拡張機能ユニット４０により、撮影補助装置の機能を拡張し、より便利に使用することができる。【選択図】図１
2020201470.tif 000002
【特許請求の範囲】
【請求項１】
把持するためのハンドルと、携帯電話を挟持するための挟持機構と、シャッターが設けられるワイヤレスコントローラと、拡張機能ユニットと、を備え、
前記挟持機構が、前記ハンドルに設けられ、前記ワイヤレスコントローラ及び前記拡張機能ユニットが、いずれも取外し可能に前記ハンドルに取り付けられている
ことを特徴とする撮影補助装置。
【請求項２】
前記ハンドルに係合溝が開設され、前記拡張機能ユニットに前記係合溝と対応する凸部が設けられ、前記凸部と前記係合溝との係合によって前記拡張機能ユニットを前記ハンドルに取り付けることを特徴とする請求項１に記載の撮影補助装置。
【請求項３】
前記ハンドルに凸部が設けられ、前記拡張機能ユニットに前記凸部に対応する係合溝が開設され、前記係合溝と前記凸部との係合によって前記拡張機能ユニットを前記ハンドルに取り付けることを特徴とする請求項１に記載の撮影補助装置。
【請求項４】
前記ハンドルは、底板及び把持部を備え、前記挟持機構が底板に設置され、
前記携帯電話が前記挟持機構で挟持された場合、前記携帯電話が底板の一方側に当接し、前記把持部が前記底板の他方側に設けられ、前記把持部内にバッテリーを収容するためのチャンバが設けられている
ことを特徴とする請求項１に記載の撮影補助装置。
【請求項５】
前記挟持機構は、前記携帯電話を挟持するためのステージ及び挟持部を備え、前記ステージが前記底板に固定され、前記挟持部が、ばね引張り部材を介して前記底板に取り付けられていることを特徴とする請求項４に記載の撮影補助装置。
【請求項６】
前記ステージの底面、前記底板の底面及び前記把持部の底面により、撮影補助装置を立設するための底平面が形成されていることを特徴とする請求項５に記載の撮影補助装置。
【請求項７】
前記把持部には、指に対応する凹溝が形成されていることを特徴とする請求項４に記載の撮影補助装置。
【請求項８】
前記拡張機能ユニットは、モバイルバッテリーユニットであることを特徴とする請求項１乃至請求項７のいずれか１つに記載の撮影補助装置。
【請求項９】
前記拡張機能ユニットは、第１ケースを備え、前記第１ケース内に、第１バッテリー、第１プリント基板、出力ポート及び入力ポートが設置され、
前記第１プリント基板は、前記第１バッテリー、前記出力ポート及び前記入力ポートとそれぞれ電気接続されている
ことを特徴とする請求項８に記載の撮影補助装置。
【請求項１０】
前記第１ケースには、前記出力ポートと対応する第１挿入孔及び前記入力ポートと対応する第２挿入孔が開設されていることを特徴とする請求項９に記載の撮影補助装置。
【請求項１１】
前記第１ケースに、前記第１プリント基板と電気接続される指示灯がさらに設置されていることを特徴とする請求項９に記載の撮影補助装置。
【請求項１２】
前記拡張機能ユニットは、Ｔ型に形成されていることを特徴とする請求項９に記載の撮影補助装置。
【請求項１３】
前記ハンドル内に第２バッテリーが設置され、前記拡張機能ユニットが取外し可能に前記ハンドルに取付けられるとき、前記第２バッテリーが前記第１プリント基板と電気接続され、前記第１バッテリーにより前記第２バッテリーを充電することを特徴とする請求項９に記載の撮影補助装置。
【請求項１４】
前記拡張機能ユニットは、ワイヤレス充電ユニットであることを特徴とする請求項１乃至請求項７のいずれか１つに記載の撮影補助装置。
【請求項１５】
前記拡張機能ユニットは、第２ケースを備え、前記第２ケース内にワイヤレス充電コイル及び第２プリント基板が設置され、前記ワイヤレス充電コイルが前記第２プリント基板と電気接続されていることを特徴とする請求項１４に記載の撮影補助装置。
【請求項１６】
前記ハンドル内に第２バッテリーが設置され、前記拡張機能ユニットが取外し可能に前記ハンドルに取付けられるとき、前記第２バッテリーが前記第２プリント基板と電気接続され、前記第２バッテリーにより前記ワイヤレス充電コイルに給電することを特徴とする請求項１５に記載の撮影補助装置。
【請求項１７】
前記拡張機能ユニットは、止め板ユニットであることを特徴とする請求項１乃至請求項７のいずれか１つに記載の撮影補助装置。
【請求項１８】
前記拡張機能ユニットは、第３ケースを備え、前記第３ケースに第１抜き溝が設けられていることを特徴とする請求項１７に記載の撮影補助装置。
【発明の詳細な説明】
【技術分野】
【０００１】
本発明は、携帯電話アタッチメントの技術分野に関し、特に撮影補助装置に関する。
【背景技術】
【０００２】
携帯電話の撮影機能の進歩及び改良に伴い、自撮りは、定常操作となった。しかしながら、両手の一方で携帯電話を持ちながら他方で携帯電話のシャッターを押すことが必要となるので、非常に不便である。
【０００３】
従来、主に自撮り棒の伸縮を利用することによって便利に自撮りを行ったが、自撮り棒の伸縮構成が比較的複雑であるので、コストが高く、体積が大きく、携帯に不便である。そのため、より便利に使用できる自撮り装置が必要となる。
【発明の概要】
【発明が解決しようとする課題】
【０００４】
本発明は、体積が小さく、より便利に使用できる撮影補助装置を提供する。
【課題を解決するための手段】
【０００５】
本発明の課題を解決するための技術案は、撮影補助装置を提供し、当該撮影補助装置は、把持するためのハンドルと、携帯電話を挟持するための挟持機構と、シャッターが設けられるワイヤレスコントローラと、拡張機能ユニットと、を備え、前記挟持機構がハンドルに設けられ、前記ワイヤレスコントローラ及び拡張機能ユニットが、いずれも取外し可能にハンドルに取り付けられている。
【０００６】
さらに、前記ハンドルに係合溝が開設され、前記拡張機能ユニットに係合溝と対応する凸部が設けられ、凸部と係合溝との係合によって前記拡張機能ユニットをハンドルに取り付ける。
【０００７】
さらに、前記ハンドルに凸部が設けられ、前記拡張機能ユニットに凸部に対応する係合溝が開設され、係合溝と凸部との係合によって前記拡張機能ユニットをハンドルに取り付ける。
【０００８】
さらに、前記ハンドルは、底板及び把持部を備え、前記挟持機構が底板に設置され、携帯電話が挟持機構で挟持された場合、携帯電話が底板の一方側に当接し、前記把持部が底板の他方側に設けられ、前記把持部内にバッテリーを収容するためのチャンバが設けられている。
【０００９】
さらに、前記挟持機構は、携帯電話を挟持するためのステージ及び挟持部を備え、前記ステージが底板に固定され、前記挟持部が、ばね引張り部材を介して前記底板に取り付けられている。
【００１０】
さらに、前記ステージの底面、底板の底面及び把持部の底面により、撮影補助装置を立設するための底平面が形成されている。
【００１１】
さらに、前記把持部には、指に対応する凹溝が形成されている。
【００１２】
さらに、前記拡張機能ユニットは、モバイルバッテリーユニットである。
【００１３】
さらに、前記拡張機能ユニットは、第１ケースを備え、前記第１ケース内に、第１バッテリー、第１プリント基板、出力ポート及び入力ポートが設置され、前記第１プリント基板は、第１バッテリー、出力ポート及び入力ポートとそれぞれ電気接続されている。
【００１４】
さらに、前記第１ケースには、前記出力ポートと対応する第１挿入孔及び前記入力ポートと対応する第２挿入孔が開設されている。
【００１５】
さらに、前記第１ケースに、前記第１プリント基板と電気接続される指示灯がさらに設置されている。
【００１６】
さらに、前記拡張機能ユニットは、Ｔ型に形成されている。
【００１７】
さらに、前記ハンドル内に第２バッテリーが設置され、前記拡張機能ユニットが取外し可能にハンドルに取付けられるとき、前記第２バッテリーが前記第１プリント基板と電気接続され、前記第１バッテリーにより第２バッテリーを充電する。
【００１８】
さらに、前記拡張機能ユニットは、ワイヤレス充電ユニットである。
【００１９】
さらに、前記拡張機能ユニットは、第２ケースを備え、前記第２ケース内にワイヤレス充電コイル及び第２プリント基板が設置され、前記ワイヤレス充電コイルが第２プリント基板と電気接続されている。
【００２０】
さらに、前記ハンドル内に第２バッテリーが設置され、前記拡張機能ユニットが取外し可能にハンドルに取付けられるとき、前記第２バッテリーが前記第２プリント基板と電気接続され、前記第２バッテリーにより前記ワイヤレス充電コイルに給電する。
【００２１】
さらに、前記拡張機能ユニットは、止め板ユニットである。
【００２２】
さらに、前記拡張機能ユニットは、第３ケースを備え、前記第３ケースに第１抜き溝が設けられている。
【発明の効果】
【００２３】
従来技術に対して、本発明に係る撮影補助装置は、使用するとき、挟持機構で携帯電話を挟持して、ハンドルを把持しながらシャッターを押すことによって、片手での撮影を実現することができる。伸縮棒が使用されていないため、体積が小さくなり、携帯に便利になった。また、ハンドルには、さらに拡張機能ユニットを取り付けることができるので、撮影補助装置の機能を拡張し、より便利に使用することができる。
【００２４】
以下、図面及び実施例を参照しながら本発明をより詳しく説明する。
【図面の簡単な説明】
【００２５】
【図１】本発明に係る撮影補助装置の斜視模式図である。
【図２】図１における撮影補助装置から拡張機能ユニットを取り外した斜視模式図である。
【図３】図２の底面模式図である。
【図４】図２の右側面模式図である。
【図５】図１における撮影補助装置の分解模式図である。
【図６】モバイルバッテリーユニットの斜視模式図である。
【図７】図６におけるモバイルバッテリーユニットとハンドルとを組み立てる模式図である。
【図８】ワイヤレス充電ユニットとハンドルとを組み立てる模式図である。
【図９】止め板ユニットとハンドルとを組み立てる模式図である。
【発明を実施するための形態】
【００２６】
以下、添付図を参照しながら本発明の好ましい実施例を詳しく説明する。
【００２７】
図１に示すように、本発明に係る撮影補助装置は、把持するためのハンドル１０と、携帯電話を挟持するための挟持機構２０と、シャッター３１が設けられたワイヤレスコントローラ３０と、拡張機能ユニット４０と、を備えている。挟持機構２０がハンドル１０に設けられ、ワイヤレスコントローラ３０及び拡張機能ユニット４０がいずれも取外し可能にハンドル１０に取り付けられている。使用するとき、挟持機構２０で携帯電話を挟持し、ハンドル１０を把持しながらシャッター３１を押すことによって、片手での撮影を実現することができる。伸縮棒が使用されていないため、体積がより小さくなり、携帯に便利になった。また、ハンドル１０には、拡張機能ユニット４０が取り付けられているので、撮影補助装置の機能を拡張することができ、より便利に使用できるようになった。
【００２８】
図２に示すように、ハンドル１０は、底板１１及び把持部１２を備え、挟持機構２０が底板１１に設置されている。携帯電話が挟持機構２０で挟持された場合、携帯電話が底板１１の一方側に当接し、把持部１２が底板１１の他方側に設置されている。スペースを十分利用するために、把持部１２内にバッテリーを収容するためのチャンバ（図示せず）が設けられている。
【００２９】
本実施例において、挟持機構２０は、携帯電話を挟持するためのステージ２１及び挟持部２２を備え、ステージ２１が底板１１に固定され、挟持部２２がばね引張り部材を介して底板１１に取り付けられている。ステージ２１に対する挟持部２２の引張りによって、携帯電話のステージ２１と挟持部２２との間への挟持を実現する。
【００３０】
図３に示すように、ステージ２１の底面、底板１１の底面及び把持部１２の底面により、撮影補助装置を立設するための底平面１３が形成されている。該底平面１３によって、撮影補助装置を卓上に立設することができるので、ワイヤレスコントローラ３０での遠距離自撮り操作を実現することができる。
【００３１】
本実施例において、シャッター３１を容易に押すために、シャッター３１が取外し可能に把持部１２の頂面に設置されている。具体的には、シャッター３１は、係合又は磁気吸着によって把持部１２に取付けることができる。
【００３２】
図４に示すように、把持部１２には、指に対応する凹溝１４が形成されている。把持するとき、指が凹溝１４に位置し、滑り止めを実現できるので、より安定して把持することができるようになった。
【００３３】
図５に示すように、ハンドル１０には、係合溝１５が開設され、拡張機能ユニット４０には、係合溝１５に対応する凸部４１が形成され、凸部４１と係合溝１５との係合によって、拡張機能ユニット４０をハンドル１０に取り付ける。
【００３４】
その他の実施例において、ハンドル１０には、凸部が形成され、拡張機能ユニット４０には、凸部に対応する係合溝が開設され、係合溝と凸部との係合によって、拡張機能ユニット４０をハンドル１０に取り付けることもできる。
【００３５】
拡張機能ユニット４０は、必要に応じて、以下の各機能を有することが可能である。本発明において、以下の３つの機能を挙げる。
【００３６】
１．拡張機能ユニット４０は、モバイルバッテリーユニットである。モバイルバッテリーユニットにより、携帯電話を充電することができるし、ハンドル１０に設置されたバッテリーを充電することもできる。
【００３７】
図６に示すように、拡張機能ユニット４０は、第１ケース４２１を備え、第１ケース４２１内に、第１バッテリー、第１プリント基板、出力ポート及び入力ポートが設置されている。第１プリント基板は、第１バッテリー、出力ポート及び入力ポートとそれぞれ電気接続されている。第１ケース４２１には、出力ポートと対応する第１挿入孔４２２及び入力ポートに対応する第２挿入孔４２３が開設されている。これによって、出力ポートを介して携帯電話を充電し、入力ポートを介して第１バッテリーを充電することができる。
【００３８】
さらに、第１ケース４２１には、第１プリント基板と電気接続され、充電状態又は送電状態を示すための指示灯４２４がさらに設置されている。
【００３９】
本実施例において、出力ポートは、ＵＳＢソケットであり、入力ポートは、Ｍｉｃｒｏ  ＵＳＢソケットである。凸部４１が、第１ケース４２１に設けられ、具体的には、加工を容易にするために、第１ケース４２１と一体成形される。拡張機能ユニット４０は、Ｔ型に形成される。係合されると、拡張機能ユニット４０は、底板１１と一体に形成されるので、全体の見栄えを保つことができる（図７を参照）。
【００４０】
さらに、ハンドル１０内に第２バッテリー（図示せず）が設置され、第２バッテリーが把持部１２のチャンバ内に設置されている。拡張機能ユニット４０が凸部４１と係合溝１５との係合によってハンドル１０に取り付けられたとき、第２バッテリーが第１プリント基板と電気接続されるので、第１バッテリーにより第２バッテリーを充電することができる。例えば、凸部４１に第１バッテリーと電気接続される第１電気接続部が設置され、係合溝１５内に第２バッテリーと電気接続される第２電気接続部が設置され、第１電気接続部と第２電気接続部との導電接触によって、第１バッテリーによる第２バッテリーへの充電を実現する。
【００４１】
２．拡張機能ユニット４０は、ワイヤレス充電ユニットである。ワイヤレス充電ユニットによって、主に携帯電話をワイヤレス充電することを実現する。
【００４２】
図８に示すように、拡張機能ユニット４０は、第２ケース４３を備え、第２ケース４３内に、ワイヤレス充電コイル及び第２プリント基板（図示せず）が設置されている。ワイヤレス充電コイルは、第２プリント基板と電気接続され、ワイヤレス充電コイルを介して携帯電話をワイヤレス充電することができる。凸部４１が第２ケース４３に設けられている。凸部４１は、加工を容易にするために、第２ケース４３と一体成型される。拡張機能ユニット４０は、Ｔ型に形成される。係合されると、拡張機能ユニット４０は、底板１１と一体に形成されるので、全体の見栄えを保つことができる。
【００４３】
本実施例において、ハンドル１０内に第２バッテリーが設置され、第２バッテリーが把持部１２のチャンバ内に設置されている。拡張機能ユニット４０が凸部４１と係合溝１５との係合によってハンドル１０に取り付けられたとき、第２バッテリーが第２プリント基板と電気接続されるので、第２バッテリーによりワイヤレス充電コイルに給電し、さらに携帯電話に対する充電を実現することができる。無論、ワイヤレス充電コイルと外部電源とを直接接続することによって給電することもできる。
【００４４】
３．拡張機能ユニット４０は、止め板ユニットである。挟持機構２０が底板１１の縁部により比較的近くに設けられているので、止め板ユニットは、主に、携帯電話の止め及び係合溝１５の補填に用いられる。これによって、携帯電話の両側を固定することができるので、より安定し、見栄えもよりよくなる。
【００４５】
図９に示すように、拡張機能ユニット４０は、第３ケース４４を備え、第３ケース４４に、第１抜き溝４４１が設けられている。凸部４１が第３ケース４４に設けられ、凸部４１に第２抜き溝４４２が設けられている。第１抜き溝４４１と第２抜き溝４４２とは、いずれも第３ケース４４の取外しに用いられる。
【００４６】
従来技術に対して、本発明に係る撮影補助装置は、使用するとき、挟持機構２０で携帯電話を挟持して、ハンドル１０を把持しながらシャッター３１を押すことによって、片手での撮影を実現することができる。伸縮棒が使用されていないため、体積が小さくなり、携帯に便利になった。また、ハンドル１０には、異なる拡張機能ユニット４０を取り付けることができるので、上記３つの機能を切り替えて使用すると、より便利に使用することができる。
【００４７】
上記実施例は、本発明の技術案を説明するためのものに過ぎず、それを限定するものではないと理解すべきである。当業者にとって、上記実施例に記載された技術案を変更、又はそのうちの一部の技術的特徴に対して均等置換を行うこともできる。これらの変更又は置換が、いずれも本発明の特許請求の範囲に属する。
【図１】
2020201470.tif 000003
【図２】
2020201470.tif 000004
【図３】
2020201470.tif 000005
【図４】
2020201470.tif 000006
【図５】
2020201470.tif 000007
【図６】
2020201470.tif 000008
【図７】
2020201470.tif 000009
【図８】
2020201470.tif 000010
【図９】
2020201470.tif 000011